(57)【要約】【課題】撮影現場および取材現場などにおいて、映像および音声を撮影する際にインターネット接続機能をもった撮影装置にて撮影し、撮影した映像および音声に関する付加情報を共に記録しておくことで、付加情報を編集者が手作業にて行うことがなくなり、作業効率の向上を図ることを目的とする。【解決手段】撮影機材で撮影される映像情報および音声情報の中からキーワード検出部１２にてキーワードを検出し、インターネットを通じてキーワード検索部１３にて検索を行い、検索した付加情報を付加情報入力部１４にて入力し映像および音声と共に記録することにより作業効率を向上させる。【選択図】  図２
2004274559.tif 000002
【特許請求の範囲】
【請求項１】
撮影機材を用いて、映像および音声を撮影する撮影手段と、前記映像および音声に関する付加情報を撮影装置に入力するインターネット接続手段と、前記付加情報を前記映像および音声と共に記録することを特徴とする撮影装置。
【請求項２】
前記撮影手段は前記撮影機材で撮影された被写体が何であるかを特定する映像情報検出手段と、前記検出した映像情報のキーワードを検出するキーワード検出手段と、携帯電話等のインターネット接続機能を付加し前記キーワードにて検索するキーワード検索手段と、検索した付加情報を入力する付加情報入力手段と前記映像情報と前記付加情報とを記録媒体に共に記録する記録信号処理手段とを備えたことを特徴とする請求項１記載の撮影装置。
【請求項３】
前記撮影手段は前記撮影機材で録音された音源が何であるかを特定する音声情報認識手段と、前記認識した音声情報のキーワードを検出するキーワード検出手段と、携帯電話等のインターネット接続機能を付加し前記キーワードにて検索するキーワード検索手段と、検索した付加情報を入力する付加情報入力手段と前記音声情報と前記付加情報とを記録媒体に共に記録する記録信号処理手段とを備えたことを特徴とする請求項１記載の撮影装置。
【請求項４】
前記映像情報検出手段は、撮影された被写体が風景、人物、物、文字を特定する機能を備えることを特徴とする請求項２記載の撮影装置。
【請求項５】
前記キーワードは、静止画または動画の被写体の種類であることを特徴とする請求項２記載の撮影装置。
【請求項６】
前記音声情報認識手段は、記録された音源を特定する機能を備えることを特徴とする請求項３記載の撮影装置。
【請求項７】
前記キーワードは、音源の種類であることを特徴とする請求項３記載の撮影装置。
【請求項８】
前記付加情報は、ネットワークのアドレスであることを特徴とする請求項２乃至３記載の撮影装置。
【請求項９】
前記付加情報は、静止画または動画の被写体の種類の情報であることを特徴とする請求項２記載の撮影装置。
【請求項１０】
前記付加情報は、音声情報の音源の種類であることを特徴とする請求項３載の撮影装置。
【発明の詳細な説明】
【０００１】
【発明の属する技術分野】
本発明は、テレビジョン等の取材現場、ロケ現場などに用いられる撮影装置に関し、特にインターネット接続機能を付加し、テレビジョン等の番組制作に必要な映像や音声等を撮影する際に、付加情報を入力する方法に関するものである。
【０００２】
【従来の技術】
従来、放送局およびプロダクション等においては、取材現場、ロケ現場等において、撮影装置等により映像および音声を記録した後、後日、これらの映像および音声を編集して放送等に使用するようになされている。
【０００３】
また、撮影現場においては手書きメモに記載して撮影した映像および音声とその内容を管理していた。
【０００４】
さらに、特開２００２−１９９３２０号公報のようにＧＰＳ受信機を搭載することによって映像信号および音声信号と共に位置情報と時刻情報を記録する方法も考えられている。
【０００５】
以下、従来の撮影装置について、図面を参照しながら説明する。
【０００６】
図３に従来の撮影装置の構成を示しており、撮影装置１は、外部からの映像信号を入力する映像情報入力部２と、外部からの音声信号を入力する音声情報入力部３と、前記映像情報入力部２及び前記音声情報入力部３からの信号を処理する記録信号処理部４と、記録信号処理部４にて信号処理された情報を磁気テープ等の記録媒体５に記録される構成となっている。
【０００７】
【特許文献１】
特開２００２−１９９３２０号公報
【０００８】
【発明が解決しようとする課題】
しかしながら上記のような構成では、その多くの記録された映像、音声に関する管理データの電子データが無いため、その記録された映像、音声の利用が著しく損なわれていた。また、現場での手書きメモをもとに、データベースに各種情報を入力するため莫大な労力がかかっていた。また、後日編集する際においても付加情報を編集者が手作業にて入力するなど、作業時間および手間は番組制作の効率低下を招いていた。
【０００９】
本発明は、撮影現場および取材現場などにおいて映像および音声を撮影する際にインターネット接続機能をもった撮影装置にて撮影し、撮影した映像および音声に関する付加情報を共に記録しておくことで、付加情報を編集者が手作業にて行うことがなくなり、作業効率の向上を図ることができる撮影装置を提供することを目的とする。
【００１０】
【課題を解決するための手段】
この課題を解決するために本発明は、撮影現場および取材現場などにおいて映像および音声を撮影する撮影装置にインターネット接続機能を追加し、撮影した映像および音声に関する付加情報を共に記録しておくように構成したものである。
【００１１】
これにより、付加情報を編集者が手作業にて行うことがなくなり、作業効率の向上を図ることができる。
【００１２】
【発明の実施の形態】
本発明の請求項１に記載の撮影装置は、撮影機材を用いて、映像および音声を撮影する撮影手段と、前記映像および音声に関する付加情報を撮影装置に入力するインターネット接続手段と、前記付加情報を前記映像および音声と共に記録することを特徴としたものであり、従来に比べ、付加情報を編集者が手作業にて行うことがなくなり、作業効率の向上を図ることができる。
【００１３】
請求項２に記載の発明は、請求項１において、前記撮影手段は前記撮影機材で撮影された被写体が何であるかを特定する映像情報検出手段と、前記検出した映像情報のキーワードを検出するキーワード検出手段と、携帯電話等のインターネット接続機能を付加し前記キーワードにて検索するキーワード検索手段と、検索した付加情報を入力する付加情報入力手段と前記映像情報と前記付加情報とを記録媒体に共に記録する記録信号処理手段とを備えたことを特徴としたものであり、従来に比べ、付加情報を編集者が手作業にて行うことがなくなり、作業効率の向上を図ることができる。
【００１４】
請求項３に記載の発明は、請求項１において、前記撮影手段は前記撮影機材で録音された音源が何であるかを特定する音声情報認識手段と、前記認識した音声情報のキーワードを検出するキーワード検出手段と、携帯電話等のインターネット接続機能を付加し前記キーワードにて検索するキーワード検索手段と、検索した付加情報を入力する付加情報入力手段と前記音声情報と前記付加情報とを記録媒体に共に記録する記録信号処理手段とを備えたことを特徴としたものであり、従来に比べ、付加情報を編集者が手作業にて行うことがなくなり、作業効率の向上を図ることができる。
【００１５】
請求項４に記載の発明は、請求項２において、前記映像情報検出手段は、撮影された被写体が風景、人物、物、文字を特定する機能を備えることを特徴としたものであり、キーワード検索がしやすくなり、欲しい付加情報を容易に入手しやすくすることができる。
【００１６】
請求項５に記載の発明は、請求項２において、前記キーワードは、静止画または動画の被写体の種類であることを特徴としたものであり、キーワード検索がしやすくなり、欲しい付加情報を容易に入手しやすくすることができる。
請求項６に記載の発明は、請求項３において、前記音声情報認識手段は、記録された音源を特定する機能を備えることを特徴としたものであり、キーワード検索がしやすくなり欲しい付加情報を容易に入手しやすくすることができる。
請求項７に記載の発明は、請求項３において、前記キーワードは、音源の種類であることを特徴としたものであり、キーワード検索がしやすくなり欲しい付加情報を容易に入手しやすくすることができる。
【００１７】
請求項８に記載の発明は、請求項２乃至３において、前記付加情報は、ネットワークのアドレスであることを特徴としたものであり、別の機会にその情報を探そうとする時、前記ネットワークのアドレスにアクセスすればすぐに欲しい情報を入手することができる。
【００１８】
請求項９に記載の発明は、請求項２において、前記付加情報は、静止画または動画の被写体の種類の情報であることを特徴としたものであり、静止画または動画として付加できるので文字情報等から検索した場合に付加情報を映像として見ることができるので大変便利である。
【００１９】
請求項１０に記載の発明は、請求項３において、前記付加情報は、音声情報の音源の種類であることを特徴としたものであり、音声として付加できるので文字情報等から検索した場合に付加情報を音声として聞くことができるので大変便利である。
【００２０】
以下、本発明の実施の形態について、図１を用いて説明する。
【００２１】
（実施の形態１）
図１は、本発明の実施の形態１における撮影装置システムの構成図である。
【００２２】
図１において、第１の実施形態の撮影装置は、撮影装置１（撮影手段）と、携帯電話１５（インターネット接続手段）と、付加情報１６とで構成されている。
【００２３】
図２は、本発明の実施の形態１における撮影装置の構成図である。図２において、図３と同じ構成要素については同じ符号を用い、説明を省略する。
【００２４】
映像情報入力部２には、これから撮影装置１にて撮影される映像に関するデータが撮影される。この撮影された映像データを記録信号処理部４にて記録処理する一方で、映像情報検出部１０（映像情報検出手段）にて撮影された映像情報からその被写体が何であるかを特定する機能を有する。例えば被写体が風景であるか、人物が含まれているのか、物あるいは文字情報であるか検出を行うことができるものである。前記映像情報検出部１０にて検出された情報の中からキーワード検出部１２（キーワード検出手段）によって映像に関するキーワードを検出する。キーワードは例えば、風景であれば山、川、木の多い場所＝森、林、人物であれば学生、サラリーマン、農夫、といったように検出をする。また、人物でも特定の人、例えばＴＶタレント、俳優、作家の特定も可能であるものとする。
【００２５】
同様に音声に関しても、音声情報入力部３には、これから撮影装置１にて記録される音声に関するデータが記録される。この記録された音声データを記録信号処理部４にて記録処理する一方で、音声情報認識部１１（音声情報認識手段）にて音声情報の検出を行う。、音声情報認識部１１にて記録された音声情報からその音源が何であるかを特定する機能を有する。例えば音源が人の話声、雑踏の音、鳥や虫のさえずりなどの検出を行うことができるものである。前記音声情報認識部１１にて認識された情報からキーワード検出部１２によって音声に関するキーワードを検出する。キーワードは例えば、人、雑踏、鳥、虫といったように検出をする。また、鳥でも特定の種類、例えばウグイス、カナリヤの特定も可能であるものとする。
【００２６】
なお、このキーワード検出部１２は自動検出または手動検出することができる。手動検出することによって、撮影者によってキーワードを手作業にて入力または選択し、撮影者の意図にあったキーワード設定にすることができる。自動検出の場合には、検出するときの検出感度を設定することも可能である。検出感度を設定することにより、撮影者の欲しい情報のキーワードのみ入手することもできる。
【００２７】
また、キーワード検出部１２によって検出されたキーワードは文字情報だけではなく静止画、動画および音声情報の全てあるいはいずれか１つについてもキーワードとして使用することができる。このことにより、検索がしやすくなり欲しい付加情報を容易に入手しやすくなる。また、映像および音声を撮影したままの状態、すなわち静止画、動画および音声の状態にてキーワード検索することができるためキーワード検出するための情報を撮影装置にもたなくてよいことになる。
【００２８】
キーワード検出部１２によって検出されたキーワードは、キーワード検索部１３（キーワード検索手段）によって検索が行われる。これは、携帯電話等の通信手段１５からインターネットに接続することにより可能である。検索した内容の付加情報１６を付加情報入力部１４（付加情報入力手段）に入力し、記録信号処理部４（記録信号処理手段）にて映像情報と音声情報と共に磁器テープ、メモリ媒体及びディスク等の記録媒体５に記録する。
【００２９】
前記付加情報１６には、ネットワークのアドレスを付加情報として入れることもできる。例えば、ネットワークのアドレスを付加情報として入れておくことにより、別の機会にその情報を探そうとする時、そのアドレスにアクセスすればすぐに欲しい情報を入手することができる。
【００３０】
また、静止画、動画、音声の情報を付加情報として入れることもできる。これは、静止画、動画または音声として付加できるので文字情報等から検索した場合に付加情報を映像または音声として見たり聞いたりすることができるので大変便利である。
【００３１】
以上のように本実施の形態によれば、撮影現場および取材現場などにおいて映像および音声を撮影する際にインターネット接続機能をもった撮影装置にて撮影し、撮影した映像および音声に関する付加情報を共に記録しておくことで、付加情報を編集者が手作業にて行うことがなくなり、作業効率の向上を図ることができる。
【００３２】
【発明の効果】
以上のように本発明によれば、撮影現場および取材現場などにおいて映像および音声を撮影する際にインターネット接続機能をもった撮影装置にて撮影し、撮影した映像および音声に関する付加情報を共に記録しておくことで、付加情報を編集者が手作業にて行うことがなくなり、作業効率の向上を図ることができる有利な効果が得られる。
【図面の簡単な説明】
【図１】本発明の実施の形態１における撮影装置システムの構成図
【図２】同実施の形態１における撮影装置の構成を示すブロック図
【図３】従来の撮影装置の構成を示すブロック図
【符号の説明】
１  撮影装置
２  映像情報入力部
３  音声情報入力部
４  記録信号処理部
５  記録媒体
１０  映像情報検出部
１１  音声情報認識部
１２  キーワード検出部
１３  キーワード検索部
１４  付加情報入力部
１５  携帯電話等通信手段
１６  付加情報
【図１】
2004274559.tif 000003
【図２】
2004274559.tif 000004
【図３】
2004274559.tif 000005